(57)【要約】【課題】任意のアドレス行で切断することで、任意のサイズの表示装置を簡便に実現する。【解決手段】少なくとも第２の配線５を駆動する第２の駆動回路７と画素ＰＸ（１，１），ＰＸ（１，２），…、ＰＸ（ｎ，ｍ）とを同一の基板１上に有した表示装置であって、第２の駆動回路７は検出線７３と判定回路７２と出力回路７４とを有した複数の単位回路７０から成り、出力回路７４は判定回路７２からの信号に従って出力信号を変えることを特徴とする表示装置。【選択図】図１
2012133187.tif 000002
【特許請求の範囲】
【請求項１】
複数の第１の配線と複数の第２の配線と前記第１及び第２の配線の交点に対応して夫々設けた、画素電極を有する複数の画素と、
前記複数の画素のうち少なくとも２つ以上の画素に対応して共通に設けた少なくとも１つの共通電極と、
前記複数の第１の配線を駆動する第１の駆動回路と、
前記複数の第２の配線を駆動する第２の駆動回路と
を含む表示装置であって、
少なくとも前記第１の駆動回路は前記画素と同一基板上にあり、
少なくとも前記第１の駆動回路は検出線と判定回路と出力回路とを有した複数の単位回路から成り、
前記出力回路は前記判定回路からの信号に従って出力信号を変えることを特徴とする表示装置。
【請求項２】
前記第１の駆動回路が配置される面において、前記第１の駆動回路の走査方向を第１の方向とし、前記第１の方向に対して垂直な方向を第２の方向とし、
（ｉ＋１）番目の前記単位回路（ｉは任意の自然数）はｉ番目の前記単位回路より前記第１の方向に配置され、
前記ｉ番目の単位回路の検出線の配置範囲の前記第２の方向から見た前記第１の方向に対する射影範囲と、前記（ｉ＋１）番目の単位回路の検出線の配置範囲の前記第２の方向から見た前記第１の方向に対する射影範囲とが重なることを特徴とする請求項１記載の表示装置。
【請求項３】
前記第１の駆動回路が配置される面において、前記第１の駆動回路の走査方向を第１の方向とし、前記第１の方向に対して垂直な方向を第２の方向とし、
前記画素は夫々画素電極と前記画素電極を駆動する駆動部とを含んで構成され、
前記ｎ番目の単位回路の検出線の配置範囲の前記第２の方向から見た前記第１の方向に対する射影範囲が、
前記ｎ番目の単位回路が駆動する前記ｎ行目またはｎ列目の画素の、前記画素電極または前記駆動部の配置範囲の前記第２の方向から見た前記第１の方向に対する射影範囲よりも、前記第１の方向に延伸することを特徴とする請求項１記載の表示装置。
【請求項４】
前記第１の駆動回路が配置される面において、前記第１の駆動回路の走査方向を第１の方向とし、前記第１の方向に対して垂直な方向を第２の方向とし、
前記検出線の配置範囲は、前記第２の方向に並ぶ前記複数の画素の少なくとも一部または全部を含んでいることを特徴とする請求項１記載の表示装置。
【請求項５】
前記検出線の配置範囲の前記第２の方向から見た前記第１の方向に対する射影範囲の中心を、前記検出線の開放箇所より前記第１の方向に配置することを特徴とする請求項２乃至請求項４記載の表示装置。
【請求項６】
前記画素は夫々の画素電極と前記画素電極を駆動する駆動部とを含んで構成され、
前記第２の方向に並ぶ１行の画素群の、前記画素電極または前記駆動部の前記第２の方向から見た前記第１の方向に対する射影範囲に対して、
前記１行の画素群に信号を供給する前記単位回路の検出線の配置範囲の前記第２の方向から見た前記第１の方向に対する射影範囲が前記第１の方向に延伸する距離をＤとし、
前記表示装置の前記第１の方向に面した辺の、前記第１の方向に対する角度を９０＋θ［°］とし、
前記画素群のうち、表示に寄与する画素領域の前記第２の方向に対する長さをＬ１とし、前記画素領域の前記第１の方向に対する長さをＬ２としたとき、
Ｌ１×ｔａｎθ＜D＜Ｌ２
の条件を満たすことを特徴とする請求項２または請求項３記載の表示装置。
【請求項７】
前記判定回路は前記検出線の電気的開放状態を検出して判定し、
前記出力回路は、前記判定の結果に基づいてその出力動作を、前記画素に表示のための信号を与える第１の出力動作から、前記画素を非表示とする第２の出力動作へと切り替えることを特徴とする請求項１記載の表示装置。
【請求項８】
前記複数の第１の配線は前記画素の信号線であって、
前記第１の駆動回路は前記信号線を駆動する信号線駆動回路であって、
前記出力回路は前記判定の結果に基づいて、
像情報に基づく信号を前記信号線に与える前記第１の出力動作から、前記共通電極と同じ電圧を前記信号線に与える、または、前記画素電極と前記共通電極とを略同電圧にするための信号を前記信号線に与える前記第２の出力動作へと切り替えることを特徴とする請求項７記載の表示装置。
【請求項９】
前記複数の第１の配線は前記画素の走査線であって、
前記第１の駆動回路は前記走査線を駆動する走査線駆動回路であって、
前記出力回路は前記判定の結果に基づいて
前記画素を表示させるためのパルス信号を前記走査線に与える前記第１の出力動作から、前記画素電極と前記共通電極とを略同電圧にするための信号を前記走査線に与える前記第２の出力動作へと切り替えることを特徴とする請求項７記載の表示装置。
【請求項１０】
前記第１の駆動回路が配置される面において、前記第１の駆動回路の走査方向を第１の方向とし、前記第１の方向に対して垂直な方向を第２の方向とし、
前記判定回路の配置領域の前記１の方向から見た前記２の方向に対する射影範囲は、前記検出線の配置領域の前記１の方向から見た前記２の方向に対する射影範囲に含まれ、
前記検出線の配置領域の前記２の方向から見た前記１の方向に対する射影範囲の中心は、前記判定回路の配置領域の前記２の方向から見た前記１の方向に対する射影範囲の中心より、第１の方向に配置することを特徴とする請求項６記載の表示装置。
【請求項１１】
前記第１の駆動回路が配置される面において、前記第１の駆動回路の走査方向を第１の方向とし、
前記表示装置に電力及び信号を供給する実装部の少なくとも一部は、
前記第１の駆動回路よりも、前記表示装置の前記第１の方向に面した辺とは相対する辺に近く配置されることを特徴とする請求項１記載の表示装置。
【請求項１２】
請求項１乃至請求項１１のいずれか一項に記載の表示装置を備えることを特徴とする電子機器。
【請求項１３】
請求項１に記載の表示装置を製造する表示装置の製造方法であって、
複数の画素と第１の駆動回路とを基板上に少なくとも形成する第１の工程と、
前記基板を切断する第２の工程と、
切断後の前記基板上に電気光学材料を含む部材を重ねる第３の工程と、
共通電極を含む部材を重ねる第４の工程と、
前記電気光学材料を封止する第５の工程と、
第２の配線を駆動する第２の駆動回路を設ける工程と、を含むことを特徴とする表示装置の製造方法。
【請求項１４】
請求項１に記載の表示装置を製造する表示装置の製造方法であって、
複数の画素と第１の駆動回路とを基板上に少なくとも形成する第６の工程と、
前記基板上に電気光学材料を含む部材を重ねる第７の工程と、
共通電極を含む部材を重ねる第８の工程と、
前記基板を切断する第９の工程と、
前記電気光学材料を封止する第１０の工程と、
第２の配線を駆動する第２の駆動回路を設ける工程と、を含むことを特徴とする表示装置の製造方法。
【発明の詳細な説明】
【技術分野】
【０００１】
本発明は、表示装置、その製造方法、およびそれを用いた電子機器に関する。
【背景技術】
【０００２】
近年、フレキシブル・ディスプレイを、ポスターや看板などのサイネージ用ディスプレイや、印刷紙やノートの代替として用いる試みが活発になっている。そうした用途においては、表示画面のサイズや形状が多種多様であることが求められる。これらフレキシブル・ディスプレイを含む現在の表示装置においては表示画面のサイズや形状が固定された仕様の表示装置を各種用意することで、そうした要望を満たそうとしているが、十分では無い。
【０００３】
例えば通常の印刷紙を一例として挙げると、レターサイズ（２１５．９×２７９．４ｍｍ）とＡ４サイズ（２１０×２９７ｍｍ）とは明らかに異なるサイズであり、印刷物と１：１に対応する夫々の規格の表示装置を望むのは当然のことに思える。しかし表示装置の供給者からみると、多品種の生産による製造コストの増大や在庫の増大等の経済面でのデメリットが大きいため、この程度の仕様の違いでわざわざ異なる仕様のディスプレイを用意することは非効率である。このため、設計を大きく変えることなく、要望に合わせて画面サイズや形状を変更可能な表示装置が求められている。
【０００４】
画面サイズや形状を任意に変更可能な表示装置を実現する目的で、例えばスクライブ機を用いた切断方法で表示装置を切り出した場合、その切断面に存在する画素、配線や駆動回路等が欠損して不適切に動作し、表示装置が正常に動作しなくなることがある。
【０００５】
従来、基板の欠損を処置する方法としては、特許文献１に記載の半導体基板の様に、保護すべき回路を囲った検出用の配線と検出回路とを用い、その検出結果に基づいて欠損があった場合には保護すべき回路からの信号出力を停止させる方法が知られていた。
同様の機能を有した表示装置としては、表示装置を構成する基板の外周沿って配線を設けその導通状態を監視することで基板の割れ欠けを検出し、表示動作を停止する液晶表示装置が容易に考えられ得る。
【先行技術文献】
【特許文献】
【０００６】
【特許文献１】特開２０００−３１２３０号公報
【発明の概要】
【発明が解決しようとする課題】
【０００７】
しかしながら、これら技術を用いて任意の画面サイズや形状に変更可能な表示装置を実現しようとすると、その切断箇所自体が存在することで表示装置全体が不良であるかの様にみなされ、表示装置としての機能を停止してしまうという問題があった。故に、任意の画面サイズや形状に変更可能な表示装置が実現できないという課題があった。
【課題を解決するための手段】
【０００８】
本発明は、上述の課題の少なくとも一部を解決するためになされたものであり、以下の形態または適用例として実現することが可能である。
【０００９】
［適用例１］本適用例に係る表示装置は、複数の第１の配線と複数の第２の配線と前記第１及び第２の配線の交点に対応して夫々設けた、画素電極を有する複数の画素と、前記複数の画素のうち少なくとも２つ以上の画素に対応して共通に設けた少なくとも１つの共通電極と、前記複数の第１の配線を駆動する第１の駆動回路と、前記複数の第２の配線を駆動する第２の駆動回路とを含む表示装置であって、少なくとも前記第１の駆動回路は前記画素と同一基板上にあり、少なくとも前記第１の駆動回路は検出線と判定回路と出力回路とを有した複数の単位回路から成り、前記出力回路は前記判定回路からの信号に従って出力信号を変えることを特徴とする。
【００１０】
このため、単位回路の一部が破損したとしてもその他の単位回路の表示動作を妨げることが無いため、任意の場所で駆動回路を切り出すことができ、少なくとも第１の方向に対して任意のサイズの表示装置を実現できるという効果を有する。
【００１１】
［適用例２］上記適用例に記載の表示装置は、前記第１の駆動回路が配置される面において、前記第１の駆動回路の走査方向を第１の方向とし、前記第１の方向に対して垂直な方向を第２の方向とし、（ｉ＋１）番目の前記単位回路（ｉは任意の自然数）はｉ番目の前記単位回路より前記第１の方向に配置され、前記ｉ番目の単位回路の検出線の配置範囲の前記第２の方向から見た前記第１の方向に対する射影範囲と、前記（ｉ＋１）番目の単位回路の検出線の配置範囲の前記第２の方向から見た前記第１の方向に対する射影範囲とが重なることが好ましい。
【００１２】
このため、単位回路が第２の方向に対して斜めに破損したとしても、保護すべき単位回路の検出線が走査方向に延伸しているので距離的な余裕を持って破損を検出でき、確実に表示できるという効果を有する。
【００１３】
［適用例３］上記適用例に記載の表示装置は、前記第１の駆動回路が配置される面において、前記第１の駆動回路の走査方向を第１の方向とし、前記第１の方向に対して垂直な方向を第２の方向とし、前記画素は夫々画素電極と前記画素電極を駆動する駆動部とを含んで構成され、前記ｎ番目の単位回路の検出線の配置範囲の前記第２の方向から見た前記第１の方向に対する射影範囲が、前記ｎ番目の単位回路が駆動する前記ｎ行目またはｎ列目の画素の、前記画素電極または前記駆動部の配置範囲の前記第２の方向から見た前記第１の方向に対する射影範囲よりも、前記第１の方向に延伸することが好ましい。
【００１４】
このため、単位回路が第２の方向に対して斜めに破損したとしても、保護すべき単位回路の検出線が走査方向に延伸しているので距離的な余裕を持って破損を検出でき、確実に表示できるという効果を有する。
【００１５】
［適用例４］上記適用例に記載の表示装置は、前記第１の駆動回路が配置される面において、前記第１の駆動回路の走査方向を第１の方向とし、前記第１の方向に対して垂直な方向を第２の方向とし、前記検出線の配置範囲は、前記第２の方向に並ぶ前記複数の画素の少なくとも一部または全部を含んでいることが好ましい。
【００１６】
このため、画素が第２の方向に対して斜めに破損したとしても、対応する単位回路の検出線がその複数の画素を囲っているため確実に破損を検出でき、確実に表示できるという効果を有する。
【００１７】
［適用例５］上記適用例に記載の表示装置は、前記検出線の配置範囲の前記第２の方向から見た前記第１の方向に対する射影範囲の中心を、前記検出線の開放箇所より前記第１の方向に配置することが好ましい。
【００１８】
このため、開放箇所には検出線の配置の必要が無くなり、単位回路をより密に配置することができ、挟ピッチの駆動回路および高精細な表示装置を実現できるという効果を有する。
【００１９】
［適用例６］上記適用例に記載の表示装置は、前記画素は夫々の画素電極と前記画素電極を駆動する駆動部とを含んで構成され、前記第２の方向に並ぶ１行の画素群の、前記画素電極または前記駆動部の前記第２の方向から見た前記第１の方向に対する射影範囲に対して、前記１行の画素群に信号を供給する前記単位回路の検出線の配置範囲の前記第２の方向から見た前記第１の方向に対する射影範囲が前記第１の方向に延伸する距離をＤとし、前記表示装置の前記第１の方向に面した辺の、前記第１の方向に対する角度を９０＋θ［°］とし、前記画素群のうち、表示に寄与する画素領域の前記第２の方向に対する長さをＬ１とし、前記画素領域の前記第１の方向に対する長さをＬ２としたとき、Ｌ１×ｔａｎθ＜D＜Ｌ２の条件を満たすことが好ましい。
【００２０】
このため、前記角度を予め設定して表示装置を設計すれば距離Ｄを必要最小限に設定して検出線を配置することができ、挟ピッチの駆動回路および高精細な表示装置を実現できるという効果を有する。また、単位回路が第２の方向に対して斜めに破損したとしても、保護すべき画素の破損を確実に検出でき、確実に表示できるという効果を有する。
【００２１】
［適用例７］上記適用例に記載の表示装置は、前記判定回路は前記検出線の電気的開放状態を検出して判定し、前記出力回路は、前記判定の結果に基づいてその出力動作を、前記画素に表示のための信号を与える第１の出力動作から、前記画素を非表示とする第２の出力動作へと切り替えることが好ましい。
【００２２】
このため、破損のある前記単位回路の動作を不定にすること無く、破損箇所に起因する表示異常をなくせるという効果を有する。
【００２３】
［適用例８］上記適用例に記載の表示装置は、前記複数の第１の配線は前記画素の信号線であって、前記第１の駆動回路は前記信号線を駆動する信号線駆動回路であって、前記出力回路は前記判定の結果に基づいて、像情報に基づく信号を前記信号線に与える前記第１の出力動作から、前記共通電極と同じ電圧を前記信号線に与える、または、前記画素電極と前記共通電極とを略同電圧にするための信号を前記信号線に与える前記第２の出力動作へと切り替えることが好ましい。
【００２４】
このため、信号線駆動回路の単位回路の一部が破損したとしてもその他の単位回路の表示動作を妨げることが無いため、任意の場所で信号線駆動回路を切り出すことができ、少なくとも信号線駆動回路の走査方向に対して任意のサイズの表示装置を実現できるという効果を有する。
【００２５】
［適用例９］上記適用例に記載の表示装置は、前記複数の第１の配線は前記画素の走査線であって、前記第１の駆動回路は前記走査線を駆動する走査線駆動回路であって、前記出力回路は前記判定の結果に基づいて前記画素を表示させるためのパルス信号を前記走査線に与える前記第１の出力動作から、前記画素電極と前記共通電極とを略同電圧にするための信号を前記走査線に与える前記第２の出力動作へと切り替えることが好ましい。
【００２６】
このため、走査線駆動回路の単位回路の一部が破損したとしてもその他の単位回路の表示動作を妨げることが無いため、任意の場所で走査線駆動回路を切り出すことができ、少なくとも走査線駆動回路の走査方向に対して任意のサイズの表示装置を実現できるという効果を有する。
【００２７】
［適用例１０］上記適用例に記載の表示装置は、前記第１の駆動回路が配置される面において、前記第１の駆動回路の走査方向を第１の方向とし、前記第１の方向に対して垂直な方向を第２の方向とし、前記判定回路の配置領域の前記１の方向から見た前記２の方向に対する射影範囲は、前記検出線の配置領域の前記１の方向から見た前記２の方向に対する射影範囲に含まれ、前記検出線の配置領域の前記２の方向から見た前記１の方向に対する射影範囲の中心は、前記判定回路の配置領域の前記２の方向から見た前記１の方向に対する射影範囲の中心より、第１の方向に配置することが好ましい。
【００２８】
このため、検出線が切断されるより前に判定回路が切断されることが無いことから確実な切断箇所の検出ができ、切断箇所に起因する所望しない表示を防止できるという効果を有する。
【００２９】
［適用例１１］上記適用例に記載の表示装置は、前記第１の駆動回路が配置される面において、前記第１の駆動回路の走査方向を第１の方向とし、前記表示装置に電力及び信号を供給する実装部の少なくとも一部は、前記第１の駆動回路よりも、前記表示装置の前記第１の方向に面した辺とは相対する辺に近く配置されることが好ましい。
【００３０】
このため、第１の駆動回路が第１の方向のどこで破損したとしても実装部からの信号及び電力の供給が遮断されること無く、破損箇所の前までは正常に動作でき、第１の方向に対して任意のサイズの表示装置を実現できるという効果を有する。
【００３１】
［適用例１２］本適用例に係る電子機器において、上記適用例に記載の表示装置を備えることが好ましい。
【００３２】
このため、上記表示装置を備えているので、任意の表示画面の大きさを有する、テレビ、携帯電話、携帯用オーディオ機器、電子手帳、ワードプロセッサー、モニター直視型のビデオテープレコーダー、ワークステーション、テレビ電話、ＰＯＳ端末、タッチパネル、腕時計、電子ペーパー、電子ノートなどの各種電子機器を実現できるという効果を有する。
【００３３】
［適用例１３］本適用例に係る製造方法は、上記適用例１に記載の表示装置を製造する製造方法であって、複数の画素と第１の駆動回路とを基板上に少なくとも形成する第１の工程と、前記基板を切断する第２の工程と、切断後の前記基板上に電気光学材料を含む部材を重ねる第３の工程と、共通電極を含む部材を重ねる第４の工程と、前記電気光学材料を封止する第５の工程と、第２の配線を駆動する第２の駆動回路を設ける工程と、を含むことが好ましい。
【００３４】
このため、第３の工程で使用する電気光学材料を含む部材または第４の工程で使用する共通電極を含む部材は、第２の工程で切断した後の基板の大きさに合わせて量を用意すれば良く、その使用量を必要最小限にすることができるという効果を有する。
【００３５】
［適用例１４］本適用例に係る製造方法は、上記適用例１に記載の表示装置を製造する製造方法であって、複数の画素と第１の駆動回路とを基板上に少なくとも形成する第６の工程と、前記基板上に電気光学材料を含む部材を重ねる第７の工程と、共通電極を含む部材を重ねる第８の工程と、前記基板を切断する第９の工程と、前記電気光学材料を封止する第１０の工程と、第２の配線を駆動する第２の駆動回路を設ける工程と、を含むことが好ましい。
【００３６】
このため、第８の工程が終了した時点における基板は、第９の工程後の表示装置の大きさに関わらず共用にすることができ、異なる大きさの表示装置毎に仕掛り在庫を持つ必要が無く、経済性が高いという効果を有する。また、第８の工程で、基板と電気光学材料を含む部材と共通電極を含む部材とを含む積層体が出来ており、その後の工程で少なくともその積層体内には不要な塵などが入り込まないため、高歩留りな製造方法を実現できるという効果を有する。
【図面の簡単な説明】
【００３７】
【図１】実施形態１に係る表示装置の例を説明する図。
【図２】実施形態１に係る画素の第１の構成例を説明する図。
【図３】実施形態１に係る画素の第２の構成例を説明する図。
【図４】実施形態２に係る、第２の駆動回路７及び単位回路７０の回路構成の例と、基板１内の大凡の配置とを模式的に説明する図。
【図５】実施形態２に係る、単位回路７０の具体的な回路構成例と、基板１内の大凡の配置とを模式的に説明する図。
【図６】実施形態３に係る、第１の駆動回路６及び単位回路６０の回路構成の例と、基板１内の大凡の配置とを模式的に説明する図。
【図７】実施形態４および実施形態５に係る、基板１の配置例を説明する概略回路図。
【図８】実施形態５に係る、具体的な配置上の制約を説明する概略回路図。
【図９】実施形態５に係る、図７及び図８の画素の一部の具体的なレイアウトを説明する平面図。
【図１０】実施形態５に係る、図９のＡ−Ａ’断面を模式的に示す部分断面図。
【図１１】実施形態６に係る、表示装置のその他の配置例の一つを説明する概略回路図。
【図１２】実施形態７に係る、基板１の切断箇所と表示装置の配置関係を説明する概略平面図。
【図１３】製造方法１の一例を示す工程流れ図。
【図１４】（ａ）〜（ｅ）は、製造方法１の一例を説明する断面図。
【図１５】製造方法２の一例を示す工程流れ図。
【図１６】（ａ）〜（ｅ）は、製造方法２の一例を説明する断面図。
【図１７】電子ペーパー４００の構成を示す斜視図。
【図１８】電子ノート５００の構成を示す斜視図。
【発明を実施するための形態】
【００３８】
以下、本発明の実施形態について、図を参照しつつ説明する。
【００３９】
（実施形態１）
実施形態１に係る表示装置の例を、図１の表示装置の概略回路図を用いて説明する。
実施形態１に係る表示装置は、基板１に形成された画素の一部または全部に対して、電気光学材料を含む部材（図１では図示せず）と共通電極２を有した部材とを重ね、構成される。画素の夫々は少なくとも画素電極を有し、その画素電極と共通電極２との間の電圧或いは電流に応じて電気光学材料が光学的な応答を示し、画素毎の表示が行われる。
基板１には、ｎ本（ｎは自然数）の第１の配線４（Ｘ１，Ｘ２，Ｘ３，…，Ｘｎ）と、ｍ本（ｍは自然数）の第２の配線５（Ｙ１，Ｙ２，Ｙ３，…，Ｙｍ）と、第１の配線４及び第２の配線５の交点に対応して夫々設けた複数の画素ＰＸ（１，１），ＰＸ（２，１），…，ＰＸ（ｎ，ｍ）と、第１の配線４を駆動する第１の駆動回路６と、第２の配線５を駆動する第２の駆動回路７と、第１及び第２の駆動回路６，７及び前記画素を駆動するための電力及び信号を前記表示装置に供給する実装部１５１とが形成される。
【００４０】
第１の駆動回路６は、対応する第１の配線４（信号線）の夫々（第１の配線Ｘ１，Ｘ２，Ｘ３，…，Ｘｎ）に像情報に基づく信号を供給する信号線駆動回路であり、第２の駆動回路７は、対応する第２の配線５（走査線）の夫々（第２の配線Ｙ１，Ｙ２，Ｙ３，…，Ｙｍ）に選択パルスを供給する走査線駆動回路である。
【００４１】
第１の駆動回路６は、図中に矢印で示す走査方向８の方向に、順次走査される複数の単位回路６０（ＵＸ１，ＵＸ２，ＵＸ３，…，ＵＸｎ）から成る。単位回路６０の夫々は、その寄生インピーダンス成分を除いて同じ回路構成であり、選択回路６１と判定回路６２と検出線６３と出力回路６４とから成る。
【００４２】
説明を簡便にするため、単位回路６０のうち第ｎ番目の単位回路ＵＸｎについて説明する。単位回路ＵＸｎは、対応する第１の配線Ｘｎに信号を供給する回路である。
単位回路ＵＸｎは、選択信号を走査し出力回路６４に出力する選択回路６１と、単位回路ＵＸｎの外周に沿って配置された検出線６３と、検出線６３の電気的開放状態を検出して検出線６３が欠損していることを判定した判定信号を出力する判定回路６２と、前記判定信号に基づいて出力動作を切り替える出力回路６４と、から成る。
前記判定信号が検出線６３の電気的開放状態を示さないとき、出力回路６４は像情報に基づく信号を第１の配線Ｘｎに出力する（出力動作Ａ）。一方、前記判定信号が電気的開放状態を示すとき、出力回路６４は共通電極２と同じ電圧を第１の配線Ｘｎに与える（出力動作Ｂ１）、または、出力回路６４は前記画素電極と共通電極２とを略同電圧にするための信号を第１の配線Ｘｎに与える（出力動作Ｂ２）。
【００４３】
ここで、走査方向８の方向に任意のサイズの表示装置を得る場合、例えば、単位回路ＵＸｎの箇所で走査方向８とは垂直な方向に基板１を切断したサイズの表示装置を得る場合について説明する。
この場合、単位回路ＵＸｎの検出線６３が基板１の切断に伴って電気的開放状態になるため、単位回路ＵＸｎの判定回路６２は検出線の電気的開放状態を検出した結果に基づく判定信号を単位回路ＵＸｎの出力回路６４に出力する。単位回路ＵＸｎの出力回路６４は出力動作Ｂ１または出力動作Ｂ２の動作をする。その一方で、切断の影響が無い単位回路ＵＸ１〜ＵＸ（ｎ−１）の出力回路６４は出力動作Ａの動作をする。
【００４４】
判定回路６２が検出線６３の電気的開放状態を検出したときの出力回路６４の２種の動作、出力動作Ｂ１と出力動作Ｂ２のどちらを用いるのかについては、前記画素の構成に依存する。図２及び図３に前記画素の異なる構成例を示し、夫々の構成例における出力動作を説明する。
【００４５】
前記画素の第１の構成例を図２の概略回路図に示す。ここでは図１の複数の画素のうち代表的に画素ＰＸ（ｎ，ｍ）を挙げ、図１との対応を併記する。
【００４６】
図２は、例えばアクティブマトリックス型の液晶表示装置や電気泳動表示装置等に用いられる構成である。画素は、第１の配線２０（Ｘｎに対応）と、第２の配線２１（Ｙｍに対応）と、第１のトランジスター２２と、保持容量２６と、保持容量線２７と、電気光学材料２９と、画素電極２８と、共通電極２とから成る。第１のトランジスター２２はゲート電極と２つのソース・ドレイン電極とを有し、前記ゲート電極は第２の配線２１に接続され、前記ソース・ドレイン電極の一方は第１の配線２０に接続され、前記ソース・ドレイン電極の他方は画素電極２８に接続される。
【００４７】
これにより、第１のトランジスター２２は第２の配線２１の電圧に従って、第１の配線２０と画素電極２８との間の導通状態を制御する。電気光学材料２９は画素電極２８と共通電極２との間に挟持される。保持容量２６は画素電極２８と保持容量線２７との間に設けられ、第１のトランジスター２２の２つのソース・ドレイン電極間が非導通状態になった際に、ある所定の期間、電気光学材料２９への電圧または電流の印加を補助する役割を持つ。
【００４８】
ここで再び図１を併用して、単位回路ＵＸｎの箇所で走査方向８とは垂直な方向に基板１を切断したサイズの表示装置を得る場合について説明する。第１の配線Ｘｎと接続している画素ＰＸ（ｎ，１），ＰＸ（ｎ，２），ＰＸ（ｎ，３），…，ＰＸ（ｎ，ｍ）に所望しない表示を行わせない様にするために、第１の配線Ｘｎには共通電極２と同じ電圧を与える。そうしたとき、第１のトランジスター２２がある期間導通状態になる画素では、画素電極２８は第１のトランジスター２２を介して第１の配線Ｘｎと同電圧、つまり共通電極２と同電圧となる。また、第１のトランジスター２２が常に非導通状態になる画素では、第１のトランジスター２２の２つのソース・ドレイン電極間に電圧が掛かると微少なリーク電流が流れるため、ある程度の期間を経て画素電極２８は第１の配線Ｘｎと同電圧、つまり共通電極２と同電圧となる。こうすることにより、電気光学材料２９を挟む画素電極２８と共通電極２との間に電圧または電流が印加されることが無いため、第１の配線Ｘｎと接続している画素ＰＸ（ｎ，１），ＰＸ（ｎ，２），ＰＸ（ｎ，３），…，ＰＸ（ｎ，ｍ）に所望しない表示を行わせない様にできる。
【００４９】
以上の様に、第１の構成例の画素を用いる場合は、共通電極２と同じ電圧を第１の配線Ｘｎに与える、出力動作Ｂ１を用いるのが良い。
【００５０】
前記画素の第２の構成例を図３の概略回路図に示す。ここでは図１の複数の画素のうち代表的に画素ＰＸ（ｎ，ｍ）を挙げ、図３との対応を併記する。
【００５１】
図３は、例えばアクティブマトリックス型の有機発光ダイオード表示装置や液晶表示装置等に用いられる構成である。画素は、第１の配線３０（Ｘｎに対応）と、第２の配線３１（Ｙｍに対応）と、第１のトランジスター３２と、第２のトランジスター３３と、保持容量２６と、保持容量線２７と、電力供給線３９と、電気光学材料２９と、画素電極２８と、共通電極２とから成る。第１のトランジスター３２及び第２のトランジスター３３は夫々ゲート電極と２つのソース・ドレイン電極とを有する。
【００５２】
第１のトランジスター３２のゲート電極は第２の配線３１に接続され、第１のトランジスター３２の２つのソース・ドレイン電極の一方は第１の配線３０に接続され、第１のトランジスター３２の２つのソース・ドレイン電極の他方は第２のトランジスター３３のゲート電極に接続される。これにより、第１のトランジスター３２は第２の配線３１の電圧に従って、第１の配線３０と第２のトランジスター３３のゲート電極との間の導通状態を制御する。
【００５３】
第２のトランジスター３３の２つのソース・ドレイン電極の一方は電力供給線３９に接続され、第２のトランジスター３３の２つのソース・ドレイン電極の他方は画素電極２８に接続される。これにより、第２のトランジスター３３は同ゲート電極の電圧に従って、電力供給線３９と画素電極２８との間の導通状態を制御する。
【００５４】
電気光学材料２９は画素電極２８と共通電極２との間に挟持される。保持容量２６は第２のトランジスター３３のゲート電極と保持容量線２７との間に設けられ、第１のトランジスター３２の２つのソース・ドレイン電極間が非導通状態になった際に、ある所定の期間、第２のトランジスター３３のゲート電極の電圧を保持する役割を持つ。
【００５５】
ここで再び図１を併用して、単位回路ＵＸｎの箇所で走査方向８とは垂直な方向に基板１を切断したサイズの表示装置を得る場合について説明する。第１の配線Ｘｎと接続している画素ＰＸ（ｎ，１），ＰＸ（ｎ，２），ＰＸ（ｎ，３），…，ＰＸ（ｎ，ｍ）に所望しない表示を行わせない様にするために、第１の配線Ｘｎには画素電極２８と共通電極２とを略同電圧にするための信号を与える。
【００５６】
より具体的には、第２のトランジスター３３を非導通状態にする信号を第１の配線Ｘｎに与える。そうしたとき、第１のトランジスター３２がある期間導通状態になる画素では、第２のトランジスター３３のゲート電極は第１のトランジスター３２を介して第１の配線Ｘｎの信号が与えられ、第２のトランジスター３３は非導通状態になる。また、第１のトランジスター３２が常に非導通状態になる画素では、第１のトランジスター３２の２つのソース・ドレイン電極間に電圧が掛かると微少なリーク電流が流れるため、ある程度の期間を経て第２のトランジスター３３のゲート電極は第１の配線Ｘｎと同電圧、つまり第２のトランジスター３３を非導通状態にする電圧となる。
【００５７】
どの画素においても第２のトランジスター３３は非導通状態になるため、ある程度の期間を経ると電気光学材料２９のリーク電流により画素電極２８は共通電極２と略同じ電圧になる。こうすることにより、電気光学材料２９を挟む画素電極２８と共通電極２との間に電圧または電流が印加されることが無いため、第１の配線Ｘｎと接続している画素ＰＸ（ｎ，１），ＰＸ（ｎ，２），ＰＸ（ｎ，３），…，ＰＸ（ｎ，ｍ）に所望しない表示を行わせない様にできる。
【００５８】
以上の様に、第２の構成例の画素を用いる場合は、画素電極２８と共通電極２とを略同電圧にするための信号を第１の配線Ｘｎに与える、出力動作Ｂ２を用いるのが良い。
【００５９】
以上に説明の第１の駆動回路６を有した表示装置では、第１の配線Ｘｎと接続している画素ＰＸ（ｎ，１），ＰＸ（ｎ，２），ＰＸ（ｎ，３），…，ＰＸ（ｎ，ｍ）の画素電極２８と共通電極２との間には電圧または電流が印加されず、その間に挟み込まれた電気光学材料２９を駆動しない。このため、画素ＰＸ（ｎ，１），ＰＸ（ｎ，２），ＰＸ（ｎ，３），…，ＰＸ（ｎ，ｍ）へ所望しない表示を行うことが無い。その一方で、切断の影響が無い他の画素については像情報に基づく表示ができる。これにより、切断箇所に表示の不良を発生させることが無いため、走査方向８の方向に対して任意のサイズの表示装置を実現できる。
【００６０】
同様に、第２の駆動回路７は、図１中に矢印で示す走査方向９の方向に順次走査される複数の単位回路７０（ＵＹ１，ＵＹ２，ＵＹ３，…，ＵＹｍ）から成る。単位回路７０の夫々は、その寄生インピーダンス成分を除いて同じ回路構成であり、選択回路７１と判定回路７２と検出線７３と出力回路７４とから成る。
【００６１】
説明を簡便にするため、単位回路７０のうち第ｍ番目の単位回路ＵＹｍについて説明する。単位回路ＵＹｍは、対応する第２の配線Ｙｍに信号を供給する回路である。単位回路ＵＹｍは、選択信号を走査し出力回路７４に出力する選択回路７１と、単位回路ＵＹｍの外周に沿って配置された検出線７３と、検出線７３の電気的開放状態を検出して検出線７３が欠損していることを判定した判定信号を出力する判定回路７２と、前記判定信号に基づいて出力動作を切り替える出力回路７４とから成る。前記判定信号が検出線７３の電気的開放状態を示さないとき、出力回路７４は画素を表示させるためのパルス信号を第２の配線Ｙｍに出力する（出力動作Ｃ）。一方、前記判定信号が前記電気的開放状態を示すとき、出力回路７４は画素電極２８と共通電極２とを略同電圧にするための信号を第２の配線Ｙｍに与える（出力動作Ｄ）。
【００６２】
ここで、走査方向９の方向に任意のサイズの表示装置を得る場合、例えば、単位回路ＵＹｍの箇所で走査方向９とは垂直な方向に基板１を切断したサイズの表示装置を得る場合について説明する。この場合、単位回路ＵＹｍの検出線７３が基板１の切断に伴って電気的開放状態になるため、単位回路ＵＹｍの判定回路７２は検出線７３の電気的開放状態を検出した結果に基づく判定信号を単位回路ＵＹｍの出力回路７４に出力する。これに従って単位回路ＵＹｍの出力回路７４は出力動作Ｄの動作をする。一方、切断の影響が無い単位回路ＵＹ１〜ＵＹ（ｍ−１）の出力回路７４は出力動作Ｃの動作をする。
【００６３】
先の第１の駆動回路６での説明に倣い、図２及び図３の夫々の構成例において、検出線７３の電気的開放状態を検出した際の出力回路７４の出力動作を説明する。
【００６４】
図２に示す第１の構成例では、出力回路７４は第１のトランジスター２２を非導通状態にする信号を第２の配線２１に与える。第１のトランジスター２２は非導通状態になるため、ある程度の期間を経ると電気光学材料２９のリーク電流により画素電極２８は共通電極２と略同じ電圧になる。
【００６５】
図３に示す第２の構成例でも同様に、出力回路７４は第１のトランジスター３２を非導通状態にする信号を第２の配線３１に与える。第１のトランジスター３２は非導通状態になるが、第１の配線３０と第２のトランジスター３３のゲート電極との間には微少なリーク電流が流れる。ここで、第１の駆動回路６が像情報に基づく信号を送出している間は、第１の配線３０には第２のトランジスター３３を導通状態にする信号と非導通状態にする信号とが与えられるが、像情報に基づく信号の送出が終わった後は、第１の配線３０には第２のトランジスター３３を非導通状態にする信号が与えられる。このため、前記像情報に基づく信号の送出が終わった後、ある程度の期間を経ると、第２のトランジスター３３のゲート電極は第１の配線３０と同電圧になる。つまり、第２のトランジスター３３は非導通状態になる。この結果、電気光学材料２９のリーク電流により画素電極２８は共通電極２と略同じ電圧になる。
【００６６】
以上に説明の第２の駆動回路７を有した表示装置では、第２の配線Ｙｍと接続している画素ＰＸ（１，ｍ），ＰＸ（２，ｍ），ＰＸ（３，ｍ），…，ＰＸ（ｎ，ｍ）の画素電極２８と共通電極２との間には電圧または電流が印加されず、その間に挟み込まれた電気光学材料２９を駆動しない。このため、画素ＰＸ（１，ｍ），ＰＸ（２，ｍ），ＰＸ（３，ｍ），…，ＰＸ（ｎ，ｍ）へ所望しない表示を行うことが無い。その一方で、切断の影響が無い他の画素については像情報に基づく表示ができる。これにより、切断箇所に表示の不良を発生させることが無いため、走査方向９の方向に対して任意のサイズの表示装置を実現できる。
【００６７】
また、第１の駆動回路６と第２の駆動回路７との両方を同一の基板１の上に設けることにより、走査方向８及び走査方向９の両方向に対して任意のサイズの表示装置を実現できる。
【００６８】
以上では、単位回路と対応する配線とが１：１に対応する説明であったが、それに限るものでなく１つの単位回路に対してｋ本（ｋは任意の自然数）の配線であれば良い。
【００６９】
（実施形態２）
実施形態１に係る表示装置の単位回路の例を実施形態２として説明する。図１乃至図３を用いて説明した実施形態１に係る構成要素と同様の構成要素に同一の参照符合を付し、それらの説明は適宜省略する。
図４は、第２の駆動回路７及び単位回路７０の回路構成の例と、基板１内の大凡の配置と、を模式的に説明する図である。図４では説明上の便宜のため、第２の配線Ｙ１及びＹ２に対応する部分のみを抜き出して記載している。
【００７０】
単位回路ＵＹ１の選択回路７１は、配線４１に伝送される転送同期信号ＹＣＬＫをノードｙｃｌｋで、配線４２に伝送される選択開始信号ＹＳＩＮをノードｓｉｎで入力信号として受け、ノードｓｏｕｔから配線４３に選択信号を出力する回路である。
単位回路ＵＹ２の選択回路７１も同様で、転送同期信号ＹＣＬＫをノードｙｃｌｋで、配線４３に伝送された選択信号をノードｓｉｎで入力信号として受け、ノードｓｏｕｔから配線４４に選択信号を出力する回路である。
以降、図４では図示しないが、単位回路ＵＹ３，…，ＵＹｍの選択回路７１も同様である。単位回路ＵＹ１，ＵＹ２，…，ＵＹｍの選択回路７１は全体で、シフトレジスター回路を構成しており、第２の配線Ｙ１，Ｙ２，…，Ｙｍを走査するための選択信号を生成し、各段の出力回路７４に順次出力する。
出力回路７４は電源制御回路７５と少なくとも出力選択回路７６とを有する。出力選択回路７６は、前記選択信号に応じた信号と、第２の配線Ｙ１，Ｙ２，…，Ｙｍに接続した画素ＰＸの第１のトランジスター２２（図２）または第１のトランジスター３２（図３）を非導通状態にする信号とを、判定回路７２から配線７７に出力される判定信号に応じて切り替えて、第２の配線Ｙ１，Ｙ２，…，Ｙｍに出力する。
【００７１】
前記判定信号が検出線７３の電気的開放状態を示さないとき、出力選択回路７６は前記選択信号に応じた信号を出力する。より具体的には、単位回路ＵＹ１は配線４３に伝送される選択信号に応じた信号を第２の配線Ｙ１に出力し、単位回路ＵＹ２は配線４４に伝送される選択信号に応じた信号を第２の配線Ｙ２に出力する。以降、単位回路ＵＹ３，…，ＵＹｍについても同様である。
【００７２】
一方、前記判定信号が検出線７３の電気的開放状態を示すとき、前記判定信号に基づいて、電源制御回路７５は、電力供給線７８を介した選択回路７１への電力の供給を停止し、出力選択回路７６は、第２の配線Ｙ１，Ｙ２，…，Ｙｍに接続した画素の第１のトランジスター２２または第１のトランジスター３２を非導通状態にする信号を出力する。
【００７３】
電力供給線７８は、少なくとも選択回路７１を動作させるために必要な電力を供給する配線である。第２の駆動回路７には高電圧側電源ＶＤＤ及び低電圧側電源ＶＳＳからの電力が夫々配線４５及び配線４６を経由して供給され、選択回路７１を除く各部にこの電力が供給されている。電源制御回路７５は少なくとも選択回路７１に対して、前記判定信号に基づいて、高電圧側電源ＶＤＤの電力をノードｖｄｄ経由で、また低電圧側電源ＶＳＳの電力をノードｖｓｓ経由で供給する、または供給を停止する。
これにより、例えば基板１の切断に伴って選択回路７１に欠損が生じて、仮にそのまま選択回路７１に電力を供給してしまうと過大な電力が消費されてしまう場合であっても、判定回路７２が検出線７３の電気的開放状態を検出するので、選択回路７１への電力供給を停止することが可能になり、過大な消費電力を発生することの無い表示装置を実現できる。
【００７４】
ここで転送同期信号ＹＣＬＫ，選択開始信号ＳＩＮ，高電圧側電源ＶＤＤ，低電圧側電源ＶＳＳは表示装置の外部から供給されても良いし、同一の基板１上に形成された第３の駆動回路から供給しても良い。後者の場合は、実装部１５１と第３の駆動回路とを第２の駆動回路７よりも走査方向９とは反対方向に配置するのが好ましい。これは実施形態７で後述する。
【００７５】
実施形態２に係る単位回路の具体的な構成例を以下で説明する。図５は第２の駆動回路７の単位回路７０の具体的な回路構成例と、基板１内の大凡の配置と、を模式的に説明する図である。図１乃至図４を用いて説明した実施形態１または実施形態２に係る構成要素と同様の構成要素に同一の参照符合を付し、それらの説明は適宜省略する。
【００７６】
選択回路７１は、ノードｓｉｎに入力される選択信号をノードｙｃｌｋに入力される同期信号に同期してノードｓｏｕｔに転送する、Ｄフリップ・フロップ回路から成る。判定回路７２から配線７７に出力される判定信号が検出線７３の電気的開放状態を示さない信号レベル（本例ではロー・レベル）のとき、出力選択回路７６の論理ゲート５６（ここではＮＯＲゲート）はノードｇｏｕｔに対してノードｓｏｕｔ、ノードｄ１を介して入力される前記選択信号と同論理の出力をする。
一方で、判定回路７２から配線７７に出力される判定信号が検出線７３の電気的開放状態を示す信号レベル（本例ではハイ・レベル）のとき、出力選択回路７６の論理ゲート５６はノードｓｏｕｔ、ノードｄ１を介して入力される前記選択信号の信号レベルに関わらず、ノードｇｏｕｔに対して第１のトランジスター２２または第１のトランジスター３２を非導通状態にする信号レベル（本例ではロー・レベル）の出力をする。
【００７７】
検出線は７３の一端は接続ノードで判定回路７２の閾値回路５２と接続され、他端は高電圧側電源ＶＤＤに接続される。また、前記接続ノードには抵抗５１を介して低電圧側電源ＶＳＳが接続される。抵抗５１の抵抗値は検出線７３の抵抗よりも大きく設定される。
ここで検出線７３が電気的開放状態でないとき、前記接続ノードの電圧は高電圧側電源ＶＤＤと略同じ電圧になり、閾値回路５２は検出線７３の電気的開放状態を示さない信号レベル（本例ではロー・レベル）の判定信号を配線７７に出力する。一方、検出線７３が電気的開放状態であるとき、前記接続ノードの電圧は低電圧側電源ＶＳＳと略同じ電圧になり、閾値回路５２は検出線７３の電気的開放状態を示す信号レベル（本例ではハイ・レベル）の判定信号を配線７７に出力する。
【００７８】
電源制御回路７５は、高電圧側電源ＶＤＤと選択回路７１のノードｖｄｄとの導通状態を制御する第１のスイッチ５４と、低電圧側電源ＶＳＳと選択回路７１のノードｖｓｓとの導通状態を制御する第２のスイッチ５５とから少なくとも構成される。第１のスイッチ５４と第２のスイッチ５５は、判定回路７２から配線７７に出力される判定信号が検出線７３の電気的開放状態を示さない信号レベル（本例ではロー・レベル）のとき導通状態になり、選択回路７１に電力を供給する。一方、前記判定信号が検出線７３の電気的開放状態を示す信号レベル（本例ではハイ・レベル）のとき非導通状態になり、選択回路７１に電力を供給しない。
【００７９】
検出線７３は、選択回路７１の配置領域と、判定回路７２の配置領域と、出力回路７４の配置領域と、の外側に配置される。こうすることによって、第２の駆動回路７の切断に伴って選択回路７１または判定回路７２または出力回路７４の何れかが破損するときは、必ず検出線７３が電気的開放状態にさせられる。このため、切断箇所に表示の不良を発生させることが無いため、走査方向９の方向に対して任意のサイズの表示装置を実現できる。
【００８０】
一つの単位回路７０の配置領域において、走査方向９とは反対方向に検出線７３の開放部９７（検出線７３を配置しない部分）を設けても、同様の効果を得ることが出来る。
より詳細には、第２の駆動回路７が配置される平面において、走査方向９をＹ軸としたときに、Ｙ軸への射影の範囲を第１の射影範囲９１とする。換言すると、走査方向９に対して垂直であるＸ軸方向を方向９０（図中に矢印で示す）とし、検出線７３の配置範囲の方向９０（+Ｘ軸方向）側である図面右側から見た走査方向９（Ｙ軸）に対する射影の範囲を第１の射影範囲９１とする。
第１の射影範囲９１の中心を第１の射影範囲中心９２としたとき、第１の射影範囲中心９２を開放部９７よりも走査方向９の方向に配置する。
【００８１】
仮に走査方向９とは反対方向に開放部を設けず検出線７３を配置したとしても、検出線７３が電気的開放状態になったときには、検出線７３の内側に配置される選択回路７１、判定回路７２及び出力回路７４は切断され、表示装置から分離されているため、そもそも表示の不良を心配する必要が無い。むしろ開放部９７を積極的に設けることにより、検出線７３の配線に必要な面積を少なくすることができるため、単位回路７０の配置領域を小さくでき、また単位回路７０の走査方向９の配置ピッチをより狭くすることができる。このため、高精細な表示装置を実現できる。  
【００８２】
また、表示装置の切断箇所での所望しない表示をより確実に防止するためには、判定回路７２を単位回路７０の走査方向９とは反対方向に寄せて配置するのが好ましい。より詳細には、判定回路７２の配置範囲の方向９０（+Ｘ軸方向）から見た走査方向９（Ｙ軸）に対する射影の範囲を第２の射影範囲９３とし、第２の射影範囲９３の中心を第２の射影範囲中心９４としたとき、第１の射影範囲中心９２を第２の射影範囲中心９４より走査方向９の方向に配置するのが好ましい。こうすることにより、単位回路７０の各構成要素のうちで、判定回路７２が検出線７３よりも先に切断され誤った判定信号を出力してしまった結果、出力回路７４が誤った出力動作をしてしまうのを防止できる。このため、表示装置の切断箇所に起因する所望しない表示を確実に防止できる。
【００８３】
ここで、電力供給線７８で供給する電源の種類は高電圧側電源ＶＤＤと低電圧側電源ＶＳＳとに限るものでは無く、電源制御回路７５が電源を制御する回路で用いる電源の種類に応じて増えても減っても構わない。また、説明中のノードとは回路ブロックの機能を説明するための電気的な接続点を指し、必ずしも端子の様な形状を有することを意味する訳ではない。
【００８４】
（実施形態３）
実施形態１に係る表示装置の単位回路の例を実施形態３として説明する。図１乃至図３を用いて説明した実施形態１に係る構成要素と同様の構成要素に同一の参照符合を付し、それらの説明は適宜省略する。
【００８５】
図６は、第１の駆動回路６及び単位回路６０の回路構成の例と、基板１内の大凡の配置と、を模式的に説明する図である。図６では説明上の便宜のため、第１の配線Ｘ１及びＸ２に対応する部分のみを抜き出して記載している。
【００８６】
単位回路ＵＸ１の選択回路６１は、配線１０３に伝送される転送同期信号ＸＣＬＫをノードｘｃｌｋで、配線１０４に伝送される選択開始信号ＸＳＩＮをノードｓｉｎで入力信号として受け、ノードｓｏｕｔから配線１０５に選択信号を出力する回路である。単位回路ＵＸ２の選択回路６１も同様で、配線１０３に伝送される転送同期信号ＸＣＬＫをノードｘｃｌｋで、配線１０５に伝送された選択信号をノードｓｉｎで入力信号として受け、ノードｓｏｕｔから配線１０６に選択信号を出力する回路である。
以降、図６では図示しないが、単位回路ＵＸ３，…，ＵＸｎの選択回路６１も同様である。単位回路ＵＸ１，ＵＸ２，…，ＵＸｎの選択回路６１は全体で、シフトレジスター回路を構成しており、第１の配線Ｘ１，Ｘ２，…，Ｘｎに与える信号をサンプリングするためのサンプリング信号を生成し、各段の第１ラッチ回路１０１に順次出力する。
【００８７】
単位回路ＵＸ１の第１ラッチ回路１０１では、配線１０５に出力されたサンプリング信号に従って配線１０９に伝送されるデータ信号ＤＡＴＡを、ノードｄｉｎを介してサンプリングし、ノードｄｏｕｔを介して配線１１２に出力する。同様に、データ信号ＤＡＴＡを、単位回路ＵＸ２，ＵＸ３，…，ＵＸｎの第１ラッチ回路１０１に配線１０９で伝送し、転送同期信号ＸＣＬＫに同期して順次サンプリングする。
最後の単位回路ＵＸｎでのサンプリングが終了した後、配線１１０に伝送された転送信号ＬＡＴに従って第１ラッチ回路１０１にサンプリングされたデータ信号は配線１１２を介して第２ラッチ回路１０２に転送される。
【００８８】
第２ラッチ回路１０２では、次に転送信号ＬＡＴが伝送される迄このデータ信号を保持し、配線１１３に出力し続ける。
【００８９】
出力回路６４は電源制御回路６５と少なくとも出力選択回路６６とを有する。出力選択回路６６は、配線１１３に出力された前記データ信号と、共通電極２と同じ電圧（出力動作Ｂ１）または第１の配線Ｘ１，Ｘ２，…，Ｘｎと接続した画素の画素電極２８を共通電極２と略同電圧にするための信号（出力動作Ｂ２）とを、判定回路６２から配線６７に出力される判定信号に応じて切り替えて、第１の配線Ｘ１，Ｘ２，…，Ｘｎに出力する。
【００９０】
前記判定信号が検出線６３の電気的開放状態を示さないとき、出力選択回路６６は配線１１３に出力された前記データ信号を出力する。より具体的には、単位回路ＵＸ１は、配線１０５に伝送されるサンプリング信号に従ってサンプリングされたデータ信号を第１の配線Ｘ１に出力し、単位回路ＵＸ２は配線１０６に伝送されるサンプリング信号に従ってサンプリングされたデータ信号を第１の配線Ｘ２に出力する。以降、単位回路ＵＸ３，…，ＵＸｎについても同様である。
【００９１】
一方、前記判定信号が検出線６３の電気的開放状態を示すとき、前記判定信号に基づいて、電源制御回路６５は電力供給線６８経由での第１ラッチ回路１０１と、第２ラッチ回路１０２と、少なくとも選択回路６１と、への電力の供給を停止し、出力選択回路６６は共通電極２と同じ電圧（出力動作Ｂ１）または第１の配線Ｘ１，Ｘ２，…，Ｘｎと接続した画素の画素電極２８を共通電極２と略同電圧にするための信号（出力動作Ｂ２）を出力する。図では出力動作Ｂ１の場合の構成例を示しており、出力選択回路６６は配線１１１から供給される共通電位ＶＣＯＭを出力する。
【００９２】
電力供給線６８は、第１ラッチ回路１０１と、第２ラッチ回路１０２と、少なくとも選択回路６１と、を動作させるために必要な電力を供給する配線である。第１の駆動回路６には高電圧側電源ＶＤＤ及び低電圧側電源ＶＳＳからの電力が夫々配線１０７及び配線１０８を経由して供給され、第１ラッチ回路１０１と第２ラッチ回路１０２と選択回路６１とを除く各部にこの電力が供給されている。電源制御回路６５は第１ラッチ回路１０１と、第２ラッチ回路１０２と、少なくとも選択回路６１と、に対して、前記判定信号に基づいて、高電圧側電源ＶＤＤの電力をノードｖｄｄ経由で、また低電圧側電源ＶＳＳの電力をノードｖｓｓ経由で供給する、または供給を停止する。これにより、例えば基板１の切断に伴って第１ラッチ回路１０１や第２ラッチ回路１０２や選択回路６１に欠損が生じて、仮にそのまま電力を供給してしまうと過大な電力が消費されてしまう場合であっても、判定回路６２が検出線６３の電気的開放状態を検出するので、その電力供給を停止することが可能になり、過大な消費電力を発生することの無い表示装置を実現できる。
【００９３】
検出線６３は、選択回路６１の配置領域と、第１ラッチ回路１０１の配置領域と、第２ラッチ回路１０２の配置領域と、判定回路６２の配置領域と、出力回路６４の配置領域と、の外側に配置される。こうすることによって、第１の駆動回路６の切断に伴って選択回路６１、第１ラッチ回路１０１、第２ラッチ回路１０２、判定回路６２、出力回路６４の何れかが破損したときは、検出線６３を必ず電気的開放状態にすることができる。このため、切断箇所に表示の不良を発生させることが無く、走査方向８の方向に対して任意のサイズの表示装置を実現できる。
【００９４】
実施形態２と同様であるため詳細には図示しないが、一つの単位回路６０の配置領域において、走査方向８とは反対方向に検出線６３の開放部を設けても、同様の効果を得ることが出来る。
より詳細には、第１の駆動回路６が配置される平面において走査方向８をＸ軸としたときに、Ｘ軸への射影の範囲を第３の射影範囲とする。換言すると、走査方向８に対して垂直であるＹ軸方向を第１の方向とし、検出線６３の配置範囲の第１の方向（−Ｙ軸方向）から見た走査方向８（Ｘ軸）に対する射影の範囲を第３の射影範囲とする。
第３の射影範囲の中心を第３の射影範囲中心としたとき、第３の射影範囲中心を開放部よりも走査方向８の方向に配置する。
【００９５】
仮に走査方向８とは反対方向に開放部を設けず検出線６３を配置したとしても、検出線６３が電気的開放状態になったときには、検出線６３の内側に配置される選択回路６１、第１ラッチ回路１０１、第２ラッチ回路１０２、判定回路６２及び出力回路６４は切断され、表示装置から分離されているため、そもそも表示の不良を心配する必要が無い。むしろ開放部を積極的に設けることにより、検出線６３の配線に必要な面積を少なくすることができるため、単位回路６０の配置領域を小さくでき、また単位回路６０の走査方向８の配置ピッチをより狭くすることができる。このため、高精細な表示装置を実現できる。
【００９６】
また、これも実施形態２と同様であるため詳細には図示しないが、表示装置の切断箇所での所望しない表示をより確実に防止するためには、判定回路６２を単位回路６０の走査方向８とは反対方向に寄せて配置するのが好ましい。より詳細には、判定回路６２の配置範囲を第１の方向から見た、走査方向８（Ｘ軸）に対する射影の範囲を第４の射影範囲とし、第４の射影範囲の中心を第４の射影範囲中心としたとき、第３の射影範囲中心を第４の射影範囲中心より走査方向８の方向に配置するのが好ましい。こうすることにより、単位回路６０の各構成要素のうちで、判定回路６２が検出線６３よりも先に切断され誤った判定信号を出力してしまった結果、出力回路６４が誤った出力動作をしてしまうのを防止できる。このため、表示装置の切断箇所に起因する所望しない表示を確実に防止できる。
【００９７】
ここで、電力供給線６８で供給する電源の種類は高電圧側電源ＶＤＤと低電圧側電源ＶＳＳとに限るものでは無く、電源制御回路６５が電源を制御する回路で用いる電源の種類に応じて増えても減っても構わない。また、説明中のノードとは回路ブロックの機能を説明するための電気的な接続点を指し、必ずしも端子の様な形状を有することを意味する訳ではない。
【００９８】
（実施形態４）
実施形態１乃至実施形態３に係る基板１の配置例を実施形態４として図７の概略回路配置図を用いて説明する。図１乃至図６を用いて説明した実施形態１乃至実施形態３に係る構成要素と同様の構成要素に同一の参照符合を付し、それらの説明は適宜省略する。
図７では説明上の便宜のため、第１の配線Ｘ１，Ｘ２，Ｘ３と、第２の配線Ｙ１，Ｙ２，Ｙ３と、それに対応する画素ＰＸ（１，１），ＰＸ（２，１），ＰＸ（３，１），ＰＸ（１，２），ＰＸ（２，２），ＰＸ（３，２），ＰＸ（１，３），ＰＸ（２，３），ＰＸ（３，３）のみを抜き出して記載している。
【００９９】
実施形態４では、第１の駆動回路が配置される面において、第１の駆動回路の走査方向８に対して垂直な方向を方向８０としたとき、（ｉ＋１）番目の単位回路ＵＸ（ｉ＋１）（ｉはｎより小さい任意の自然数）はｉ番目の単位回路ＵＸｉより走査方向８の方向に配置され、ｉ番目の単位回路ＵＸｉの検出線６３の配置範囲の方向８０から見た走査方向８に対する射影範囲と、（ｉ＋１）番目の単位回路ＵＸ（ｉ＋１）の検出線６３の配置範囲の方向８０から見た走査方向８に対する射影範囲とが、重なる様に配置する。
【０１００】
一例としてｉ＝２の場合について図７を用いて説明する。３番目の単位回路ＵＸ３は２番目の単位回路ＵＸ２より走査方向８の方向に配置される。また、２番目の単位回路ＵＸ２を構成する検出線６３の方向８０から見た走査方向８に対する射影範囲１２２と、３番目の単位回路ＵＸ３を構成する検出線６３の方向８０から見た走査方向８に対する射影範囲１２３と、が重なって配置される。
【０１０１】
こうすることで、例えば３番目の単位回路ＵＸ３が切断箇所となったとき、その切断状態によっては少ない確率ながらも誤検出の動作を引き起こすこともあり得るが、第２の単位回路ＵＸ２の検出線６３を第３の単位回路ＵＸ３の配置範囲にも延伸させることによって第２の単位回路ＵＸ２が確実に切断を検出できる様になる。このため、単位回路ＵＸ３が方向８０に対してある程度斜めに切断されたとしても、第２の単位回路ＵＸ２の検出線６３が走査方向８の方向に延伸しているので距離的な余裕を持って切断を検出できるため、確実に単位回路ＵＸ２を出力動作Ｂ１または出力動作Ｂ２にすることができる。このため、表示装置が所望しない表示をすることが無い。
【０１０２】
ここで、単位回路ＵＸ１，ＵＸ２，…，ＵＸｎの総てに本実施形態４を当てはめる必要は無い。例えば１行だけの画面を作製することが無い場合は、ＵＸ１には本実施形態４を用いず、ＵＸ２，ＵＸ３，…，ＵＸｎに本実施形態４を用いることが考えられる。
【０１０３】
本実施形態４は単位回路ＵＹ１，ＵＹ２，…，ＵＹｍについても同様に適用できる。この場合、第２の駆動回路が配置される面において第２の駆動回路の走査方向９に対して垂直な方向を方向９０としたとき、（ｋ＋１）番目の単位回路ＵＹ（ｋ＋１）（ｋはｍより小さい任意の自然数）はｋ番目の単位回路ＵＹｋより走査方向９の方向に配置され、ｋ番目の単位回路ＵＹｋの検出線７３の配置範囲の方向９０から見た走査方向９に対する射影範囲と、（ｋ＋１）番目の単位回路ＵＹ（ｋ＋１）の検出線６３の配置範囲の方向８０から見た走査方向９に対する射影範囲と、が重なる様に配置する。
【０１０４】
図７では例としてｋ＝２の場合を図示している。３番目の単位回路ＵＹ３は２番目の単位回路ＵＹ２より走査方向９の方向に配置される。また、２番目の単位回路ＵＹ２を構成する検出線７３の方向９０から見た走査方向９に対する射影範囲１２５と、３番目の単位回路ＵＹ３を構成する検出線７３の方向９０から見た走査方向９に対する射影範囲１２６とが、重なって配置される。
【０１０５】
こうすることで前述の第１の駆動回路６の場合と同様の効果を得ることができる。
より具体的な配置については図９及び図１０を用いて、次の実施形態５の中で一緒に説明する。
【０１０６】
（実施形態５）
実施形態１乃至実施形態４に係る表示装置のその他の配置例の一つを実施形態５として図７乃至図１０を用いて説明する。図１乃至図７を用いて説明した実施形態１乃至実施形態４に係る構成要素と同様の構成要素に同一の参照符合を付し、それらの説明は適宜省略する。
【０１０７】
実施形態５では、図７に示すように、画素は夫々の画素電極と、画素電極を駆動する駆動部と、を含んで構成され、ｉ番目（ｉはｎより小さい任意の自然数）の単位回路ＵＸｉの検出線６３の配置範囲の方向８０から見た走査方向８に対する射影範囲が、前記ｉ番目の単位回路ＵＸｉが駆動するｉ列目の画素ＰＸ（ｉ，１），ＰＸ（ｉ，２），ＰＸ（ｉ，３）の、画素電極ＰＥ（ｉ，１），ＰＥ（ｉ，２），ＰＥ（ｉ，３）または前記駆動部ＰＣ（ｉ，１），ＰＣ（ｉ，２），ＰＣ（ｉ，３）の配置範囲の方向８０から見た走査方向８に対する射影範囲よりも、走査方向８の方向に延伸する様に配置する。
【０１０８】
一例としてｉ＝２の場合について図７を用いて説明する。２番目の単位回路ＵＸ２において、検出線６３の配置範囲の方向８０から見た走査方向８に対する射影範囲１２２は、２番目の単位回路ＵＸ２が駆動する２列目の画素ＰＸ（２，１），ＰＸ（２，２），ＰＸ（２，３）の、画素電極ＰＥ（２，１），ＰＥ（２，２），ＰＥ（２，３）または駆動部ＰＣ（２，１），ＰＣ（２，２），ＰＣ（２，３）の配置範囲の方向８０から見た走査方向８に対する射影範囲１２１よりも、走査方向８の方向に距離Ｄｘだけ延伸する様に配置する。
【０１０９】
本実施形態５では、また、ｋ番目（ｋはｍより小さい任意の自然数）の単位回路ＵＹｋの検出線７３の配置範囲の方向９０から見た走査方向９に対する射影範囲が、前記ｋ番目の単位回路ＵＹｋが駆動するｋ行目の画素ＰＸ（１，ｋ），ＰＸ（２，ｋ），ＰＸ（３，ｋ）の、画素電極ＰＥ（１，ｋ），ＰＥ（２，ｋ），ＰＥ（３，ｋ）または駆動部ＰＣ（１，ｋ），ＰＣ（２，ｋ），ＰＣ（３，ｋ）の配置範囲の方向９０から見た走査方向９に対する射影範囲よりも、走査方向９の方向に延伸する様に配置する。
【０１１０】
一例としてｋ＝２の場合について図７を用いて説明する。２番目の単位回路ＵＹ２の検出線７３の、配置範囲の方向９０から見た走査方向９に対する射影範囲１２５は、２番目の単位回路ＵＹ２が駆動する２行目の画素ＰＸ（１，２），ＰＸ（２，２），ＰＸ（３，２）の、画素電極ＰＥ（１，２），ＰＥ（２，２），ＰＥ（３，２）または駆動部ＰＣ（１，２），ＰＣ（２，２），ＰＣ（３，２）の配置範囲の方向９０から見た走査方向９に対する射影範囲１２４よりも、走査方向９の方向に距離Ｄｙだけ延伸する様に配置する。
【０１１１】
各画素を構成する画素電極または駆動部のどちら一方が切断されても、当該画素で像情報に基づく表示をすることは不可能である。このため、ある一つの検出線７３は、その単位回路が駆動する画素行または画素列の前記画素電極及び前記駆動部の配置範囲よりも走査方向に延伸するのが好ましい。延伸された検出線６３，７３で、距離的な余裕を持って切断を検出できるため、確実に単位回路ＵＸ２を出力動作Ｂ１または出力動作Ｂ２にする、または、確実に単位回路ＵＹ２を出力動作Ｄにすることができる。このため、表示装置が所望しない表示をすることが無い。
【０１１２】
より具体的な配置上の制約について図８を用いて説明する。ここでは基板を、方向９０に平行な設定切断線８４に沿って切断する場合を想定する。設定切断線８４は、一例として、その切断に加工公差が無い理想的な場合に２行目の画素行迄を正常動作させる様に設定する。
【０１１３】
この例では駆動部ＰＣ（１，２），ＰＣ（２，２），…，ＰＣ（ｎ，２）の方が画素電極ＰＥ（１，２），ＰＥ（２，２），…，ＰＥ（ｎ，２）よりも走査方向９の方向に寄って配置されているので、２行目の画素行の駆動部ＰＣ（１，２），ＰＣ（２，２），…，ＰＣ（ｎ，２）と３行目の画素行の駆動部ＰＣ（１，３），ＰＣ（２，３），…，ＰＣ（ｎ，３）との間に設定切断線８４を設定する。
【０１１４】
実際には、切断によって加工公差が発生することから、実際に切断したときの切断線８５は設定切断線８４に対し角度θ（０°＜θ＜９０°）の角度をもっているものとする。
このとき切断線８５は、２行目の画素行の画素電極ＰＥ（１，２），ＰＥ（２，２），…，ＰＥ（ｎ，２）、または／および駆動部ＰＣ（１，２），ＰＣ（２，２），…，ＰＣ（ｎ，２）を切断することになるため、２番目の単位回路ＵＹ２は出力動作Ｄにしなければならない。
【０１１５】
表示に寄与する画素領域の方向９０に対する長さをＬ１としたとき、画素領域内に設定切断線８４よりくい込む切断線８５の走査方向９の長さは、Ｌ１×ｔａｎθで表される。この長さは距離Ｄｙよりも短い、つまり、Ｌ１×ｔａｎθ＜Ｄｙという関係が成立したとき、切断線８５に加工公差があったとしても確実に単位回路ＵＹ２を出力動作Ｄにでき、切断された２番目の画素行に像情報に基づく表示をさせることが無い。
【０１１６】
この効果を有するための他の条件としては、距離Ｄｙが、表示に寄与する画素領域の走査方向９に対する長さＬ２よりも短いこと、つまり、Ｄｙ＜Ｌ２という関係が成立することが必要である。
そもそも距離Ｄｙが長さＬ２よりも短いことで、画素領域を２つ以上の領域に分け夫々の領域で出力動作を変えることができる様になり、これにより切断部以外の画素を正常表示させるとともに切断部は異常表示を行わせないという処理が可能になる。さらに、距離Ｄｙを不必要に伸ばさなくてもよいため、検査線の配置面積を必要最小限にでき、その結果、挟ピッチの単位回路と駆動回路を用いた高精細な表示装置を実現できる。
【０１１７】
ここで改めて、画素の画素電極と駆動部との配置関係について図９、図１０を参照して述べておく。図９は図７及び図８の画素の一部の具体的なレイアウトを説明する平面図である。また図１０は図９のＡ−Ａ’断面を模式的に示したものである。主に、２行２列目の画素ＰＸ（２，２）を例に挙げて説明する。なお、図１０においては各層や各部材を認識可能な程度の大きさにするため、各層や各部材の尺度を実際とは異ならせしめている。
【０１１８】
画素ＰＸ（２，２）の駆動部ＰＣ（２，２）は例えば主にＴＦＴ（薄膜トランジスター）と保持容量とから構成される。ＴＦＴは、ゲート配線１３１をゲート電極とし、データ配線１３４を一方のソース・ドレイン電極とし、中継配線１３５を他方のソース・ドレイン電極とする。
保持容量は、図１０に示すように、保持容量配線１３２と中継配線１３５との間に第１の絶縁膜１４１と第２の絶縁膜１３３とを挟んで構成される。中継配線１３５は、第３の絶縁膜１４３に開口したコンタクト部１３６を介して、画素電極１３７（ＰＥ（２，２））に接続される。これらは総て第１の基材１４６の上に形成され、基板１を構成する。
基板１に対向して配置される対向基板１４９は、共通電極２が第２の基材１４８の表面（基板１に対向する面）に形成されている。対向基板１４９の共通電極２と、基板１の画素電極１３７と、の間に電気光学素子１４７を挟み、画素電極１３７と共通電極２との間に印加される電圧または電流により電気光学素子１４７の光学的特性を変化させることで、画素ＰＸ（２，２）で像情報に基づいた表示ができる。
【０１１９】
駆動部ＰＣ（２，２）と画素電極ＰＥ（２，２）とは、少なくとも第３の絶縁膜１４３を介して配置されるため、基板１を平面視したときに駆動部ＰＣ（２，２）と画素電極ＰＥ（２，２）とはコンタクト部１３６を除いて任意の位置に配置可能である。つまり、切断によって画素電極ＰＥ（２，２）の電圧または電流印加に影響を与えてしまうやも知れない範囲、即ち、射影範囲１２４は、画素電極ＰＥ（２，２）の配置範囲の方向９０から見た走査方向９に対する射影範囲１３９と、駆動部ＰＣ（２，２）の配置範囲の方向９０から見た走査方向９に対する射影範囲１３８とを両方共含むものでなければならない。
【０１２０】
本実施形態では第２の駆動回路７の切断に関して、単位回路７０（ＵＹ２）の検出線７３とそれに対応する画素行のレイアウトとの関係について述べた。同様に、第１の駆動回路６の切断に関して、単位回路６０の検出線６３とそれに対応する画素列のレイアウトとの関係についても適用可能である。
【０１２１】
（実施形態６）
実施形態１乃至実施形態３に係る表示装置の、その他の配置例の一つを実施形態６として図１１を用いて説明する。図１乃至図１０を用いて説明した実施形態１乃至実施形態５に係る構成要素と同様の構成要素に同一の参照符合を付し、それらの説明は適宜省略する。
【０１２２】
実施形態６では、ｋ番目の単位回路ＵＹｋを構成する検出線７３の配置範囲がｋ行目の複数の画素の少なくとも一部または全部を含む様配置される。一例としてｋ＝２の場合について図１１を用いて説明する。
【０１２３】
ここでは表示装置を、方向９０に平行な設定切断線８４に沿って切断する場合を想定する。設定切断線８４は、一例として、その切断に加工公差が無い理想的な場合に２行目の画素行迄を正常動作させる様に設定する。
この例では駆動部ＰＣ（１，２），ＰＣ（２，２），…，ＰＣ（ｎ，２）の方が画素電極ＰＥ（１，２），ＰＥ（２，２），…，ＰＥ（ｎ，２）よりも走査方向９の方向に寄って配置されているので、２行目の画素行の駆動部ＰＣ（１，２），ＰＣ（２，２），…，ＰＣ（ｎ，２）と３行目の画素行の駆動部ＰＣ（１，３），ＰＣ（２，３），…，ＰＣ（ｎ，３）との間に設定切断線８４を設定する。
実際には、切断によって加工公差が発生することから、実際に切断したときの切断線８５は設定切断線８４に対し角度θ（０°＜θ＜９０°）の角度をもっているものとする。
このとき切断線８５は２行目の画素行の画素電極ＰＥ（１，２），ＰＥ（２，２），…，ＰＥ（ｎ，２）、または／および駆動部ＰＣ（１，２），ＰＣ（２，２），…，ＰＣ（ｎ，２）を切断することになるため、２番目の単位回路ＵＹ２は出力動作Ｄにしなければならない。
【０１２４】
本実施形態においては、２行目の画素行を検出線７３で囲って配置してあるため、切断線８５に加工公差があったとしても確実に単位回路ＵＹ２を出力動作Ｄにでき、切断された２番目の画素行に像情報に基づく表示をさせることが無い。また、角度θが小さく、切断の影響を受ける画素が画素行全体にならないことが分かっている場合は、画素行のうち必要な複数の画素のみを検出線７３で囲えば良い。
【０１２５】
実施形態６ではまた、ｉ番目の単位回路ＵＸｉを構成する検出線７３の配置範囲がｉ列目の複数の画素の少なくとも一部または全部を含む様配置される。効果は、前述のｋ行目の単位回路ＵＹｋ及びｋ行目の画素行のそれと同様である。
【０１２６】
（実施形態７）
実施形態１乃至実施形態６に係る表示装置の実施形態７として、基板１の切断箇所と表示装置の配置関係について図１２を用いて説明する。図１乃至図１１を用いて説明した実施形態１乃至実施形態６に係る構成要素と同様の構成要素に同一の参照符合を付し、それらの説明は適宜省略する。
【０１２７】
切断前の基板１には、パネル部が、一つまたは複数形成されている。パネル部は、複数の第１の配線４（Ｘ１，Ｘ２，Ｘ３，…，Ｘｎ）と、複数の第２の配線５（Ｙ１，Ｙ２，Ｙ３，…，Ｙｍ）と、第１の配線４及び第２の配線５の交点に対応して夫々設けた複数の画素（画素部）と、第１の配線４を駆動する第１の駆動回路６と、第２の配線５を駆動する第２の駆動回路７と、第１の駆動回路６と第２の駆動回路７と前記複数の画素とのうち少なくとも一つを駆動する第３の駆動回路（周辺回路）１５０と、第１の駆動回路６と第２の駆動回路７と前記複数の画素と周辺回路１５０とのうち少なくとも一つを駆動するための電力及び信号を前記表示装置に供給する実装部１５１と、を含んで構成されている。ここでは、４つのパネル部１５２，１５３，１５４，１５５が形成されている例で説明する。
【０１２８】
実施形態７では、実装部１５１の少なくとも一部は、第１の駆動回路６よりも、走査方向８に面した辺とは相対する辺１６０に近く配置される。または、実装部１５１の少なくとも一部は、第２の駆動回路７よりも、走査方向９に面した辺とは相対する辺１６１に近く配置される。
この基板１を任意の場所、図１２では４つのパネル部１５２，１５３，１５４，１５５の夫々に対応して切断箇所１５６、１５７、１５８、１５９、で切断して表示装置を製造する。ここで、パネル部１５５のみを例外的に本実施形態に沿わない配置としたが、これは本実施形態７の効果をより明確にするために、本実施形態７に沿わない場合との比較を説明するための図の部分である。
【０１２９】
パネル部１５２において、切断箇所１５６の内側には、実装部１５１と、周辺回路１５０と、第２の駆動回路７の総てと、第１の駆動回路６のうち走査方向８とは反対側に配置される一部と、を含んでいる。第１の駆動回路６のうち切断箇所１５６の内側に配置された一部と第２の駆動回路７との交点に対応した画素部も同様に切断箇所１５６の内側に含んでいる。実装部１５１は第１の駆動回路６よりも走査方向８の方向に面した辺とは反対側の辺１６０に近く配置されているため、実装部１５１から第１の駆動回路６への電力及び信号供給が途絶えることが無い。こうすることで第１の駆動回路６の任意の箇所で切断しても、所望の像情報の表示を行う表示装置を提供できる。
【０１３０】
パネル部１５３において、切断箇所１５７の内側には、実装部１５１と、周辺回路１５０と、第１の駆動回路６の総てと、第２の駆動回路７のうち走査方向９とは反対側に配置される一部とを含んでいる。第２の駆動回路７のうち切断箇所１５７の内側に配置された一部と第１の駆動回路６との交点に対応した画素部も同様に切断箇所１５７の内側に含んでいる。実装部１５１は第２の駆動回路７よりも走査方向９の方向に面した辺とは反対側の辺１６１に近く配置されているため、実装部１５１から第２の駆動回路７への電力及び信号供給が途絶えることが無い。こうすることで第２の駆動回路７の任意の箇所で切断しても、所望の像情報の表示を行う表示装置を提供できる。
【０１３１】
パネル部１５４において、切断箇所１５８の内側には、実装部１５１と、周辺回路１５０と、第１の駆動回路６のうち走査方向８とは反対側に配置される一部と、第２の駆動回路７のうち走査方向９とは反対側に配置される一部とを含んでいる。第１の駆動回路６のうち切断箇所１５８の内側に配置された一部と、第２の駆動回路７のうち切断箇所１５８の内側に配置された一部との交点に対応した画素部も同様に切断箇所１５８の内側に含んでいる。
実装部１５１は、第１の駆動回路６よりも走査方向８の方向に面した辺とは反対側の辺１６２に近く配置され、かつ第２の駆動回路７よりも走査方向９の方向に面した辺とは反対側の辺１６３に近く配置されているため、実装部１５１から第１の駆動回路６及び第２の駆動回路７への電力及び信号供給が途絶えることが無い。こうすることで第１の駆動回路６及び第２の駆動回路７の任意の箇所で切断しても、所望の像情報の表示を行う表示装置を提供できる。
【０１３２】
本実施形態７に基づけば、任意のサイズの表示装置を実現できる。
ここで、本実施形態に沿わない場合の表示装置について簡単に説明する。図１２のパネル部１５５においては、実装部１６４は第１の駆動回路６よりも走査方向８の方向に配置されており、本実施形態７に基づいていない。切断箇所１５９でパネル部１５５を切断したとき、実装部１６４から第１の駆動回路６への電力及び信号供給が途絶える。こうなると切断に伴って所望の像情報の表示ができなくなる。
【０１３３】
（製造方法１）
実施形態１乃至実施形態７に係る表示装置の製造方法の一例について、図１３と図１４（ａ）〜（ｅ）とを用いて説明する。図１３は製造方法１の一例を示す工程流れ図である。図１４（ａ）〜（ｅ）は製造方法１の一例を説明する断面図である。図１４は図１２のＢ−Ｂ’断面を模式的に示している。なお、図１４においては各層や各部材を認識可能な程度の大きさにするため、各層や各部材の尺度を実際とは異ならせしめている。
【０１３４】
製造方法１は、図１３に示す通り、複数の画素と駆動回路とを少なくとも形成した基板１を製造する第１の工程１７１と、前記基板上に電気光学材料を含む部材１６４を重ねる第２の工程１７２と、共通電極を含む部材（対向基板１４９）を重ねる第３の工程１７３と、基板１と基板１に重ねた部材１６４，１４９とを含む積層体を切断する第４の工程１７４と、前記電気光学材料を含む部材１６４を封止する第５の工程１７５とを含んでいる。
【０１３５】
第１の工程１７１では、第１の基材の上に少なくとも実装部１５１、第１の駆動回路１８２（図１２では第１の駆動回路６に相当）、図示しない第２の駆動回路（図１２では第２の駆動回路７に相当）、画素部１８３を製造し、基板１を形成する（図１４（ａ））。具体的な製造方法としては、非晶質シリコン薄膜トランジスターや低温ポリシリコン薄膜トランジスター、高温ポリシリコン薄膜トランジスター、酸化物薄膜トランジスター、有機トランジスター等の製造方法を用いる。基板１の基体としては、例えばポリイミド、ポリエチレンテレフタレート、ポリカーボネート、ポリエチレンナフタレート、ポリフッ化ビニル、ポリエーテルサルフォン、アクリル系樹脂、エポキシ系樹脂、ガラス、高融点ガラス、ステンレス、アルミニウムまたはそれを含む合金、鉄またはそれを含む合金、銅またはそれを含む合金、等の材料が用いられる。
なお、第２の駆動回路を設ける工程を、本第１の工程と同じ工程で形成することで説明したがこれに限らない。第２の駆動回路を設ける工程は、第１の工程とことなる他の工程において、ドライバーIC等の素子を接続する、所謂外付けすることで構成することも可能である。
この工程が請求項における第６の工程に相当する。
【０１３６】
第２の工程１７２では、例えば電気泳動材料や電子粉粒体、有機発光材料、エレクトロルミネッセンス材料、エレクトロクロミック材料、液晶材料等の電気光学材料を含む部材１６４を基板１上に重ねる（図１４（ｂ））。具体的な製造方法としては、電気光学材料を含む部材１６４をインクジェット法やスピンコート法等を用いて塗布するとか、オフセット印刷や凹版印刷、孔版印刷等の印刷法を用いて印刷するとか、スパッタ法や蒸着法、化学的気相成長法によって成膜するとか、電気光学材料を含む部材１６４に光硬化性または光軟化性を持たせた上で露光・現像工程を通すことによって成膜するとか、予め所定のサイズに加工した前記電気光学材料を含む部材を貼り付ける、等の製造方法を用いる。
この工程が請求項における第７の工程に相当する。
【０１３７】
第３の工程１７３では、基板１と電気光学材料を含む部材１６４の上に共通電極を含む対向基板１４９を重ね、共通電極と電気光学材料を含む部材１６４とを接触させる（図１４（ｂ））。対向基板１４９を用いる代わりに、共通電極と保護層とをスパッタ法や蒸着法、印刷法、スピンコート法等で形成する方法もある。共通電極としては、ＩＴＯ、ＩＺＯ、ＩＧＺＯ、ＺｎＯ等の酸化物系導電材料や、カーボンナノチューブ、カーボンナノコーン、グラフェン等の炭素系導電材料を用いる。
対向基板１４９の基材または前記保護層としては、例えばポリイミド、ポリエチレンテレフタレート、ポリカーボネート、ポリエチレンナフタレート、ポリフッ化ビニル、ポリエーテルサルフォン、アクリル系樹脂、エポキシ系樹脂、ガラス、高融点ガラス、ステンレス、アルミニウムまたはそれを含む合金、鉄またはそれを含む合金、銅またはそれを含む合金、等の材料が用いられる。
この工程が請求項における第８の工程に相当する。
【０１３８】
第４の工程１７４では、基板１と電気光学材料を含む部材１６４と対向基板１４９とを含む積層体を、切断箇所１５７で切断する（切断前：図１４（ｃ）、切断後：図１４（ｄ））。切断には、せん断加工法や打ち抜き加工法、スクライブ法、ダイシング法、レーザー加工法、等の切断加工方法を用いる。
この工程が請求項における第９の工程に相当する。
【０１３９】
第５の工程１７５では、切断後の前記積層体の電気光学材料を含む部材１６４を、基板１と対向基板１４９と封止材１８５との間に封止する（図１４（ｅ））。封止材１８５としては、アクリル系樹脂、アクリル系樹脂、珪酸ナトリウム、等の材料が用いられる。
この工程が請求項における第１０の工程に相当する。
【０１４０】
本製造方法１の製造方法を用いることで、任意のサイズの表示装置を得ることが可能になる。また、第３の工程１７３迄で形成された基板１と電気光学材料を含む部材１６４と共通電極を含む対向基板１４９との積層体は、第５の工程１７５を経て切り出された表示装置の大きさに関わらず共用にすることができる。このため、大きさの異なる表示装置毎に仕掛り在庫を持つ必要が無く、経済性が高いという効果を有する。また、第３の工程１７３で、基板１と電気光学材料を含む部材１６４と共通電極を含む対向基板１４９とを含む積層体が出来ており、その後の工程で少なくともその積層体の各層間には不要な塵などが入り込まないため、高歩留りな製造方法を実現できるという効果を有する。
【０１４１】
（製造方法２）
実施形態１乃至実施形態７に係る表示装置の製造方法の他の一例について、図１５と図１６（ａ）〜（ｅ）とを用いて説明する。図１５は製造方法２の一例を示す工程流れ図である。図１６（ａ）〜（ｅ）は製造方法２の一例を説明する断面図である。図１６は図１２のＢ−Ｂ’断面を模式的に示している。なお、図１６においては各層や各部材を認識可能な程度の大きさにするため、各層や各部材の尺度を実際とは異ならせしめている。
【０１４２】
製造方法２は、図１５に示す通り、複数の画素と駆動回路とを少なくとも形成した基板１を製造する第６の工程１９１と、基板１を切断する第７の工程１９２と、切断した基板１の上に電気光学材料を含む部材１６４を重ねる第８の工程１９３と、共通電極を含む部材（対向基板１４９）を重ねる第９の工程１９４と、電気光学材料を含む部材１６４を封止する第１０の工程１９５とを含んでいる。
【０１４３】
第６の工程１９１では、第１の基材の上に少なくとも実装部１５１、第１の駆動回路１８２（図１２では第１の駆動回路６に相当）、図示しない第２の駆動回路（図１２では第２の駆動回路７に相当）、画素部１８３を製造し、基板１を形成する（図１６（ａ））。具体的な製造方法としては、非晶質シリコン薄膜トランジスターや低温ポリシリコン薄膜トランジスター、高温ポリシリコン薄膜トランジスター、酸化物薄膜トランジスター、有機トランジスター等の製造方法を用いる。基板１の基体としては、例えばポリイミド、ポリエチレンテレフタレート、ポリカーボネート、ポリエチレンナフタレート、ポリフッ化ビニル、ポリエーテルサルフォン、アクリル系樹脂、エポキシ系樹脂、ガラス、高融点ガラス、ステンレス、アルミニウムまたはそれを含む合金、鉄またはそれを含む合金、銅またはそれを含む合金、等の材料が用いられる。
なお、第２の駆動回路を設ける工程を、本第１の工程と同じ工程で形成することで説明したがこれに限らない。第２の駆動回路を設ける工程は、第１の工程とことなる他の工程において、ドライバーIC等の素子を接続する、所謂外付けすることで構成することも可能である。
この工程が請求項における第１の工程に相当する。
【０１４４】
第７の工程１９２では、基板１を切断箇所１５７で切断する（切断前：図１６（ｂ）、切断後：図１６（ｃ））。切断には、せん断加工法や打ち抜き加工法、スクライブ法、ダイシング法、レーザー加工法、等の製造方法を用いる。
この工程が請求項における第２の工程に相当する。
【０１４５】
第８の工程１９３では、例えば電気泳動材料や電子粉粒体、有機発光材料、エレクトロルミネッセンス材料、エレクトロクロミック材料、液晶材料等の電気光学材料を含む部材１６４を基板１上に重ねる（図１６（ｄ））。具体的な製造方法としては、電気光学材料を含む部材１６４をインクジェット法やスピンコート法等を用いて塗布するとか、オフセット印刷や凹版印刷、孔版印刷等の印刷法を用いて印刷するとか、スパッタ法や蒸着法、化学的気相成長法によって成膜するとか、電気光学材料を含む部材１６４に光硬化性または光軟化性を持たせた上で露光・現像工程を通すことによって成膜するとか、予め所定のサイズに加工した前記電気光学材料を含む部材を貼り付ける、等の製造方法を用いる。
この工程が請求項における第３の工程に相当する。
【０１４６】
第９の工程１９４では、基板１と電気光学材料を含む部材１６４の上に共通電極を含む対向基板１４９を重ね、共通電極と電気光学材料を含む部材１６４とを接触させる（図１６（ｄ））。対向基板１４９を用いる代わりに、共通電極と保護層とをスパッタ法や蒸着法、印刷法、スピンコート法等で形成する方法もある。共通電極としては、ＩＴＯ、ＩＺＯ、ＩＧＺＯ、ＺｎＯ等の酸化物系導電材料や、カーボンナノチューブ、カーボンナノコーン、グラフェン等の炭素系導電材料を用いる。対向基板１４９の基材または前記保護層としては、例えばポリイミド、ポリエチレンテレフタレート、ポリカーボネート、ポリエチレンナフタレート、ポリフッ化ビニル、ポリエーテルサルフォン、アクリル系樹脂、エポキシ系樹脂、ガラス、高融点ガラス、ステンレス、アルミニウムまたはそれを含む合金、鉄またはそれを含む合金、銅またはそれを含む合金、等の材料が用いられる。
この工程が請求項における第４の工程に相当する。
【０１４７】
第１０の工程１９５では、切断後の前記積層体の電気光学材料を含む部材１６４を、基板１と対向基板１４９と封止材１８５との間に封止する。封止材１８５としては、アクリル系樹脂、アクリル系樹脂、珪酸ナトリウム、等の材料が用いられる。
この工程が請求項における第５の工程に相当する。
【０１４８】
本製造方法２の製造方法を用いることで、任意のサイズの表示装置を得ることが可能になる。また、第８の工程で使用する電気光学材料を含む部材１６４または第９の工程で使用する共通電極を含む対向基板１４９は、第７の工程で切断した後の基板１の大きさに合わせて量を用意すれば良く、その使用量を必要最小限にすることができるという効果を有する。
【０１４９】
（電子機器）
次に、実施形態１乃至実施形態７に記載の表示装置、または製造方法１乃至製造方法２に記載の製造方法を適用して作成した表示装置、を用いた電子機器について図１７及び図１８を参照して説明する。以下では、上述の電気光学材料として電気泳動材料を用いた表示装置を用いて構成し、電子ペーパー及び電子ノートに適用した場合を例にとる。
【０１５０】
図１７は電子ペーパー４００の構成を示す斜視図である。電子ペーパー４００は、上述した表示装置を表示部４０１として備えている。電子ペーパー４００は可撓性を有し、従来の紙と同様の質感及び柔軟性を有する書き換え可能なシートからなる本体４０２を備えて構成されている。
【０１５１】
図１８は電気ノート５００の構成を示す斜視図である。電気ノート５００は、図１７で示した電子ペーパー４００が複数枚束ねられ、カバー５０１に挟まれているものである。カバー５０１は、例えば外部の装置から送られる表示データを入力するための表示データ入力手段（図示せず）を備える。これにより、その表示データに応じて、電子ペーパー４００が束ねられた状態のまま、表示内容の変更や更新を行うことができる。
【０１５２】
上述した電子ペーパー４００及び電気ノート５００は、上述した表示装置を備えるので、高品質な画像表示を行うことが可能である。また、電子ペーパー４００は任意のサイズをとれるので、Ａ４サイズとＡ４ファイルサイズとレターサイズ等の若干異なるサイズの電気ノート５００を容易に用意できる。
【０１５３】
また、前記表示装置を用いれば、任意の表示画面の大きさを有する、テレビ、携帯電話、携帯用オーディオ機器、電子手帳、ワードプロセッサー、モニター直視型のビデオテープレコーダー、ワークステーション、テレビ電話、ＰＯＳ端末、タッチパネル、腕時計、電子ノートなどの各種電子機器を実現できる。
【０１５４】
尚、これらの他に、各種モニター、電子黒板、サイネージ用ディスプレイ、腕時計、携帯電話、携帯用オーディオ機器などの電子機器の表示部にも、上述した本実施形態に係る表示装置を適用することができる。同電子機器とそれ以外の部分とを認識させない様に設計された用途として、壁，床，柱等の建築構造物の一部、ダッシュボード，メーター，警告表示灯，シート等の車の一部、机，黒板等の家具，調度品の一部、等として用いることもできる。
【０１５５】
本発明は、上述した実施形態に限られるものではなく、特許請求の範囲及び明細書全体から読み取れる発明の要旨或いは思想に反しない範囲で適宜変更可能であり、そのような変更を伴う表示装置、表示装置の駆動方法及び電子機器もまた本発明の技術的範囲に含まれるものである。また、本発明の応用範囲は表示装置に限らず、２次元機能マトリックス、例えば２次元マトリックス・光学センサー、２次元圧力センサー、２次元静電容量センサー、２次元微小電気機械素子等にも適用できる。
【符号の説明】
【０１５６】
１…基板、２…共通電極、４，２０，Ｘ１，Ｘ２，‥，Ｘｎ…第１の配線、５，２１，Ｙ１，Ｙ２，‥，Ｙｍ…第２の配線、６…第１の駆動回路、７…第２の駆動回路、８…走査方向、９…走査方向、２２…第１のトランジスター、２６…保持容量、２７…保持容量線、２８…画素電極、２９…電気光学材料、３０…第１の配線、３１…第２の配線、３２…第１のトランジスター、３３…第２のトランジスター、３９…電力供給線、ＹＣＬＫ…転送同期信号、ＹＳＩＮ…選択開始信号、ＶＤＤ…高電圧側電源、ＶＳＳ…低電圧側電源、４１，４２，４３，４５，４６…配線、５１…抵抗、５２…閾値回路、５４…第１のスイッチ、５５…第２のスイッチ、５６…論理ゲート、６０，ＵＸ１，ＵＸ２，‥‥，ＵＸｎ…単位回路、６１…選択回路、６２…判定回路、６３…検出線、６４…出力回路、６５…電源制御回路、６６…出力選択回路、６７…配線、６８…電力供給線、７０，ＵＹｍ…単位回路、７１…選択回路、７２…判定回路、７３…検出線、７４…出力回路、７５…電源制御回路、７６…出力選択回路、７７…配線、７８…電力供給線、８０…方向、８４…設定切断線、８５…切断線、９０…方向、９１…第１の射影範囲、９２…第１の射影範囲中心、９３…第２の射影範囲、９４…第２の射影範囲中心、９７…開放部、１０１…第１ラッチ回路、１０２…第２ラッチ回路、１０３，１０４，１０５，１０６，１０７、１０８，１０９，１１０，１１１…配線、１２１，１２２，１２３，１２４，１２５，１２６…射影範囲、１３１…ゲート配線、１３２…保持容量配線、１３３…第２の絶縁膜、１３４…データ配線、１３５…中継配線、１３６…コンタクト部、１３７…画素電極、１３８，１３９…射影範囲、１４１…第１の絶縁膜、１４３…第３の絶縁膜、１４６，１４８…基材、１４７…電気光学素子、１４９…対向基板、１５０…周辺回路、１５１…実装部、１５２，１５３，１５４，１５５…パネル部、１５６，１５７，１５８，１５９…切断箇所、１６１，１６２，１６３…辺、１６４…電気光学材料を含む部材、１７１…第１の工程、１７２…第２の工程、１７３…第３の工程、１７４…第４の工程、１７５…第５の工程、１９１…第６の工程、１９２…第７の工程、１９３…第８の工程、１９４…第９の工程、１９５…第１０の工程、１８２…第４の駆動回路、１８３…画素部、１８５…封止材、４００…電子ペーパー、４０１…表示部、４０２…本体、５００…電気ノート、５０１…カバー、ＰＸ（１，１），ＰＸ（２，１），ＰＸ（３，１），‥，ＰＸ（ｎ，ｍ）…画素、ＸＣＬＫ…転送同期信号、ＸＳＩＮ…選択開始信号、ＶＣＯＭ…共通電位、ＰＥ（１，１），ＰＥ（２，１），ＰＥ（３，１），‥，ＰＥ（ｎ，ｍ）…画素の画素電極、ＰＣ（１，１），ＰＣ（２，１），ＰＣ（３，１），‥，ＰＣ（ｎ，ｍ）…画素の駆動部、θ…角度、Ｄｘ，Ｄｙ…距離、Ｌ１，Ｌ２…長さ。
【図１】
2012133187.tif 000003
【図２】
2012133187.tif 000004
【図３】
2012133187.tif 000005
【図４】
2012133187.tif 000006
【図５】
2012133187.tif 000007
【図６】
2012133187.tif 000008
【図７】
2012133187.tif 000009
【図８】
2012133187.tif 000010
【図９】
2012133187.tif 000011
【図１０】
2012133187.tif 000012
【図１１】
2012133187.tif 000013
【図１２】
2012133187.tif 000014
【図１３】
2012133187.tif 000015
【図１４】
2012133187.tif 000016
【図１５】
2012133187.tif 000017
【図１６】
2012133187.tif 000018
【図１７】
2012133187.tif 000019
【図１８】
2012133187.tif 000020